(57)【要約】【課題】密閉型調理室と空気循環可能に連結される換気室をさらに設け、換気室に入る空気中で匂いと煙のみを、噴射された水で形成された水カーテンで遮断する方式の加熱調理器を提供すること。【解決手段】加熱手段が設けられ、加熱手段によって内部の被調理物が加熱される密閉型調理室と、吸気通路と排気通路が設けられ、吸気通路と排気通路によって、調理室と空気循環可能に連結された換気室と、調理室の空気を、調理室と換気室との間で循環させるための回転ファンと、換気室の近くに配置された貯水槽と、貯水槽の水を上記換気室に放射状に噴射し、空気中の匂いや煙を換気室の中間で遮断する噴射装置と、を備える。【選択図】図２
2011509164.tif 000002
【特許請求の範囲】
【請求項１】
加熱手段が設けられ、前記加熱手段によって内部の被調理物が加熱される密閉型調理室と、
吸気通路と排気通路が設けられ、前記吸気通路と前記排気通路によって、前記調理室と空気循環可能に連結された換気室と、
前記調理室の空気を、前記調理室と前記換気室との間で循環させるための回転ファンと、
前記換気室の近くに配置された貯水槽と、
前記貯水槽の水を前記換気室に噴射し、空気中の匂いや煙を前記換気室の中間で遮断する噴射装置と、を備えることを特徴とする加熱調理器。
【請求項２】
前記貯水槽が、前記噴射された水を回収するように、前記換気室の下部の近くに配置されることを特徴とする請求項１に記載の加熱調理器。
【請求項３】
前記貯水槽が、前記換気室の下部に着脱可能に結合されることを特徴とする請求項２に記載の加熱調理器。
【請求項４】
前記噴射装置が、遠心力によって水を放射状に噴射する回転噴射体であり、前記回転噴射体は、前記貯水槽内の水に一部が浸る押送路と、前記押送路と連結して側壁に設けられた多数の噴射孔と、を有することを特徴とする請求項２に記載の加熱調理器。
【請求項５】
前記回転ファンが、前記回転噴射体の上側において、前記換気室の吸気通路と排気通路との間に位置することを特徴とする請求項４に記載の加熱調理器。
【請求項６】
前記回転ファンと前記回転噴射体が、同一のモータによって同心回転運動するように連結されることを特徴とする請求項５に記載の加熱調理器。
【請求項７】
前記換気室が、前記回転ファンと前記回転噴射体を取り囲む内筒の内部に画定され、前記内筒の外部には、前記内筒と連結された隔壁によって吸気室と排気室を画定する外筒が設けられ、前記吸気通路は、前記吸気室及びそれに連結された前記外筒の外部入口及び前記内筒の内部入口によって画定され、前記排気通路は、前記排気室及びそれに連結された前記外筒の外部出口及び前記内筒の内部出口によって画定されることを特徴とする請求項５に記載の加熱調理器。
【請求項８】
前記内部入口が、前記内筒の下端に設けられた切欠きであり、前記内部出口が、前記内筒の上端に設けられた切欠きであることを特徴とする請求項７に記載の加熱調理器。
【請求項９】
前記回転噴射体が、前記噴射孔に隣接しており、側壁から放射状に突出した複数のディスク部を有することを特徴とする請求項４に記載の加熱調理器。
【請求項１０】
前記回転噴射体が、下部から上部へ向かうほど大径となる拡張型構造を有することを特徴とする請求項４に記載の加熱調理器。
【請求項１１】
前記押送路が、前記貯水槽の水に浸った下部から上側へ向かって大内径となることを特徴とする請求項４に記載の加熱調理器。
【請求項１２】
前記加熱手段が、上下に向い合って配置された上部ヒータと下部ヒータを有することを特徴とする請求項１に記載の加熱調理器。
【請求項１３】
入力部の信号を受け、前記加熱手段、前記回転ファン、及び噴射装置を制御する制御部をさらに備えることを特徴とする請求項１に記載の加熱調理器。
【請求項１４】
前記制御部が、前記入力部の信号を受け、前記加熱手段、前記回転ファン、及び前記噴射装置を連動して制御し、初期は、前記加熱手段のみを稼動し、それから、前記加熱手段、前記回転ファン、及び前記噴射装置を一緒に稼動し、それから、前記加熱手段の稼動を停止させた後、前記回転ファンと前記噴射装置をさらに稼動させることを特徴とする請求項１１に記載の加熱調理器。
【請求項１５】
前記換気室から前記調理室へ向かう空気中の水分をろ過する水分除去フィルタをさらに備えることを特徴とする請求項１に記載の加熱調理器。
【請求項１６】
前記貯水槽が、前記換気室の下部の近くに着脱可能に結合され、前記水分除去フィルタは、前記貯水槽の壁に支持されたまま、前記排気通路に配置されることを特徴とする請求項１５に記載の加熱調理器。
【請求項１７】
前記水分除去フィルタが、前記貯水槽の壁に着脱可能に設置されることを特徴とする請求項１６に記載の加熱調理器。
【請求項１８】
前記押送路の下部には、前記回転噴射体の回転時、水を前記押送路の上側に案内する形状の複数のリブが設けられることを特徴とする請求項４に記載の加熱調理器。
【請求項１９】
前記回転ファンと前記回転噴射体が、異なるモータにそれぞれ連結されて回転することを特徴とする請求項４に記載の加熱調理器。
【発明の詳細な説明】
【技術分野】
【０００１】
本発明は、密閉型調理室を有する加熱調理器に関し、より詳しくは、匂いや煙が多く発生する魚や肉等の加熱調理に適しており、密閉型調理室の開放時、匂いや煙の流出をなくした加熱調理器に関する。
【背景技術】
【０００２】
密閉型調理室を有する加熱調理器としては、ロースター、グリル、ベーカ、電気オーブン等の多種のものが知られている。これらの加熱調理器は、被調理物を加熱調理する過程で、多くの煙と匂いを発生させる。特に、調理が終わった後、密閉型調理室を開放すると、そこから発生した匂いと煙が外部に一度に漏れてしまい、人に不快感を与える。特に、そのような不快感は、魚や肉の場合はさらに深刻である。
【０００３】
図１０は、焼き魚または焼肉向けに設計された従来の加熱調理器を示す図である。図１０を参照すると、従来の加熱調理器は、ヒンジ２で互いに連結された容器部３と蓋部４を有し、蓋部４が容器部３の上部を覆うと、その間に密閉型調理室が形成される。調理室の下部と上部、すなわち、容器部３と蓋部４には、それぞれ下部ヒータ５ａと上部ヒータ５ｂが設けられる。また、容器部３には、被調理物を支えるための焼き網９等が据置式で配置される。また、蓋部４には、脱臭フィルタ６が設けられているが、この脱臭フィルタ６は、煙または匂い等を含むガスまたは蒸気を吸着除去する物質、脱臭剤、または触媒を含む。
【０００４】
しかしながら、従来の加熱調理器は、脱臭フィルタの制限された処理能力のため、調理時間の増加に略比例して発生する煙や匂い成分を除去するには極めて不十分であった。しかも、調理中に発生した匂いまたは煙を含むガスまたは蒸気が脱臭フィルタ内で短時間のうちに濃縮され、脱臭フィルタの処理容量の限界をすぐに超える。また、その後発生する匂いや煙に対しては、脱臭フィルタがこれ以上の脱臭・吸着機能をすることができない。
【０００５】
また、従来の技術によると、加熱調理器は、調理室の底面から一定の深さまで水を入れて用いることもある。この場合、魚または肉が調理されながら発生したオイルや加熱蒸気の一部が内部対流によって水に接触して溶解され、これにより、匂いをある程度減少させる効果がある。しかし、調理中に発生した煙または匂いの大部分は、高温であるため、調理室の下部よりも上部に集まり、これにより、水に吸収または溶解される量は、極めて微量であり、殆どの匂いや煙は、大気中に排出されるしかない。また、匂いや煙が含まれた空気を調理器の外部に排気する場合、排気される空気と一緒に熱気も外部に排出されるため、エネルギー損失を引き起こしてしまう。
【発明の概要】
【発明が解決しようとする課題】
【０００６】
これについて、本発明の出願人は、調理中に発生した匂いや煙を含む空気を強制的に水に入れる方式で脱臭を行う技術を提案したことがある。しかしながら、この技術は、脱臭効率が悪く、騒音も発生させるという問題があった。
【０００７】
本発明は、上記問題点に鑑みなされたものであり、その目的は、密閉型調理室と空気循環可能に連結される換気室をさらに設け、換気室に入る空気中で匂いと煙のみを、噴射された水で形成された水カーテンで遮断する方式の加熱調理器を提供することにある。
【課題を解決するための手段】
【０００８】
上記目的を達成するために、本発明の一態様によると、加熱手段が設けられ、前記加熱手段によって内部の被調理物が加熱される密閉型調理室と、吸気通路と排気通路が設けられ、前記吸気通路と前記排気通路によって、前記調理室と空気循環可能に連結された換気室と、前記調理室の空気を、前記調理室と前記換気室との間で循環させるための回転ファンと、前記換気室の近くに配置された貯水槽と、前記貯水槽の水を前記換気室に噴射する噴射装置と、を備える加熱調理器を提供する。前記噴射装置によって噴射された水は、前記換気室の中間に連続的に水カーテンを発生させ、空気中の匂いや煙が前記水カーテンを通過せず、前記換気室の中間で遮断される。
【０００９】
好ましくは、前記貯水槽は、噴射された水を回収するように、前記換気室の下部の近くに配置されてもよい。より好ましくは、前記貯水槽は、前記換気室の下部に着脱可能に結合されてもよい。
【００１０】
好ましくは、前記噴射装置は、遠心力によって水を放射状に噴射する回転噴射体であって、前記回転噴射体は、前記貯水槽内の水に一部が浸る押送路と、前記押送路と連結して側壁に設けられた多数の噴射孔と、を有する。
【００１１】
一実施形態によって、前記回転ファンは、前記回転噴射体の上側において、前記換気室の吸気通路と排気通路との間に位置してもよく、前記回転ファンと前記回転噴射体は、同一のモータによって同心回転運動するように連結されてもよい。
【００１２】
好ましくは、前記換気室は、前記回転ファンと前記回転噴射体の周辺を取り囲む内筒の内部に画定され、前記内筒の外部には、前記内筒と連結された隔壁によって吸気室と排気室を画定する外筒が設けられ、前記吸気通路は、前記吸気室及びそれに連結された前記外筒の外部入口と前記内筒の内部入口によって画定され、前記排気通路は、前記排気室及びそれに連結された前記外筒の外部出口と前記内筒の内部出口によって画定されてもよい。この際、前記内部入口は、前記内筒の下端に設けられた切欠きであり、前記内部出口は、前記内筒の上端に設けられた切欠きであってもよい。
【００１３】
好ましくは、前記回転噴射体は、前記噴射孔に隣接しており、側壁から放射状に突出した複数のディスク部を有してもよい。また、前記回転噴射体は、下部から上部へ向かうほど大径となる拡張型構造を有してもよい。また、前記押送路は、前記貯水槽の水に浸った下部から上側へ向かって大内径となる構造であってもよい。
【００１４】
一実施形態によって、前記加熱調理器は、入力部の信号を受け、前記加熱手段、前記回転ファン、及び噴射装置を制御する制御部をさらに備え、この際、前記制御部は、前記入力部の信号を受け、前記加熱手段、前記回転ファン、及び前記噴射装置を連動して制御し、初期は、前記加熱手段のみを稼動し、それから、前記加熱手段、前記回転ファン、及び前記噴射装置を一緒に稼動し、それから、前記加熱手段の稼動を停止させた後、前記回転ファンと前記噴射装置をさらに稼動させてもよい。
【００１５】
好ましくは、前記換気室から前記調理室へ向かう空気中の水分をろ過する水分除去フィルタをさらに備えてもよい。より好ましくは、前記貯水槽が、前記換気室の下部の近くに着脱可能に結合されるが、前記水分除去フィルタは、前記貯水槽の壁に支持されたまま、前記換気室の前記排気通路に配置される。この際、前記水分除去フィルタは、前記貯水槽の壁に着脱可能に設置されることが好ましい。
【００１６】
好ましくは、前記押送路の下部には、前記回転噴射体の回転時、水を前記押送路の上側に案内する形状の複数のリブが設けられてもよい。
【発明の効果】
【００１７】
本発明によれば、密閉型調理室と空気循環可能に連結される換気室をさらに設け、換気室に入る空気中の匂いと煙を、換気室の中間に放射状に噴射された水カーテン状の水滴で遮断し吸収するため、調理中に発生した匂いや煙を外部に放出せず、換気室内で除去することができる。
【図面の簡単な説明】
【００１８】
【図１】本発明の一実施形態による加熱調理器を全般的に説明するための図である。
【図２】本発明の一実施形態による加熱調理器の換気室側の構成要素を示す分解斜視図である。
【図３】図２に示した換気室側の構成要素の一部を除去して示した斜視図である。
【図４】本発明の一実施形態による加熱調理器の換気室側の回転ファン及び噴射装置の作用を示す断面図である。
【図５】図５Ａ及び図５Ｂは、換気室の吸気通路及び排気通路を説明するための図である。
【図６】本発明の一実施形態による加熱調理器の制御ロジックを説明するためのブロック構成図である。
【図７】本発明の他の実施形態による加熱調理器の制御ロジックを説明するためのブロック構成図である。
【図８】本発明の更に他の実施形態による加熱調理器の制御ロジックを説明するためのブロック図である。
【図９】本発明の他の実施形態によって換気室側に設けられた水分除去フィルタを説明するための断面図である。
【図１０】従来の加熱調理器を説明するための斜視図である。
【発明を実施するための形態】
【００１９】
以下、添付した図面に基づき、本発明の好適な実施形態について詳述する。以下に紹介される実施形態は、本発明の思想を当業者に充分伝達するために、例として提供されるものである。従って、本発明は、後述する実施形態に限定されず、他の形態に具体化され得る。なお、図面において、構成要素の幅、長さ、厚さ等は、説明の便宜のために誇張して表現されることもある。明細書の全体にわたって、同一の参照番号は、同一の構成要素を示す。
【００２０】
図１は、本発明による加熱調理器を全般的に説明するための図であり、図２は、本発明の一実施形態による加熱調理器の換気室側の構成要素を示す分解斜視図であり、図３は、図２に示した換気室側の構成要素の一部を除去して示した斜視図である。また、図４は、換気室側の回転ファン及び噴射装置の作用を示す断面図であり、図５Ａ及び図５Ｂは、換気室の吸気通路及び排気通路を説明するための図である。
【００２１】
図１に示すように、本実施形態による加熱調理器１は、魚または肉等の被調理物が加熱調理される密閉型調理室１０を有する。本実施形態において、上記調理室１０は、蓋部１０ｂが上部開放型の容器部１０ａを覆うと、上記容器部１０ａと蓋部１０ｂとの間に画定される空間である。しかし、これに限定されるものではなく、被調理物を密閉型調理室１０内に入れ、またはその調理室１０から被調理物を出すことができる構造であればよい。
【００２２】
但し、調理室１０が容器部１０ａと蓋部１０ｂによって画定された構造において、調理室１０と換気室２０を連結する流入管路及び流出管路は、それらの全てが蓋部１０ｂに位置してもよく、それらの全てが容器部１０ａに位置してもよく、それらのそれぞれが容器部１０ａと蓋部１０ｂに分けて位置してもよい。
【００２３】
上記調理室１０内には、被調理物を加熱する手段として、下部ヒータ１２ａと上部ヒータ１２ｂが向い合って設置される。本実施形態において、下部ヒータ１２ａは容器部１０ａに設置され、上部ヒータ１２ｂは蓋部１０ｂに設置される。下部ヒータ１２ａと上部ヒータ１２ｂとの間には、被調理物を支える、例えば、焼き網、料理板、加熱板等のような支え部１３が、上記容器部１０ａに形成された段部に据置式で配置される。
【００２４】
また、容器部１０ａの底面には、上記調理室１０の下部の近くに、着脱可能な水受け１６が設けられている。上記水受け１６の水は、調理中に発生し、内部対流によって下方へ向かうオイル及び加熱蒸気の一部と接触し、匂いや煙の成分の一部の除去に用いられてもよい。しかし、水分が制限されなければならない調理の場合、上記水受け１６がないことがさらによく、このため、水受け１６を意図的に省略した加熱調理器も、本発明の範囲内に入る。
【００２５】
本発明の実施形態によると、上記加熱調理器１は、換気室２０をさらに有し、上記換気室２０は、後述する回転ファン４０によって、調理室１０と空気循環可能に連結される。このため、上記換気室２０と上記調理室１０は、吸気通路Ｉ（図５Ａ参照）と排気通路Ｏ（図５Ｂ参照）によって互いに連結される。上記調理室１０で発生した空気、すなわち、匂いと煙が含まれた空気は、吸気通路Ｉから上記換気室２０内に流入する。その後、空気は、換気室２０内で匂いや煙が除去され、排気通路Ｏから換気室２０を出て、さらに調理室１０に入る。
【００２６】
図２乃至図４に示すように、上記加熱調理器は、上記換気室２０の下部の近くに配置される貯水槽３０を備える。これにより、上記換気室２０の空気は、上記貯水槽３０の水と界面を形成する。換気室２０内の空気は、調理室１０の匂いまたは煙を含む汚染した空気であり、本発明は、貯水槽３０の水を引き上げ、水滴状で、上記換気室２０に放射状に噴射する噴射装置を備える。放射状に噴射された水は、上記換気室２０の中間で、図４における破線ブロックに示すような水カーテンＷを形成し、その水カーテンＷによって、上記空気中の匂いまたは煙は、換気室２０の中間で遮断される。遮断された匂いまたは煙の成分は、水滴に吸収されたまま貯水槽３０に落下する。上記貯水槽３０は、着脱可能に設けられるので、水の交換及び／または貯水槽３０の内部の掃除が容易である。
【００２７】
以下、本発明の一実施形態による加熱調理器の換気室側の主要要素の構成及び作用について、さらに詳述する。
【００２８】
図３乃至図４に示すように、本発明による噴射装置は、遠心力で作動する回転噴射体５０からなる。好適な実施形態において、上記回転噴射体５０は、回転しながら、遠心力によって水滴（または水粒子）を噴射する構造であるが、他の構造または方式の噴射装置も、本発明の範囲内に入る。
【００２９】
上記回転噴射体５０は、中央に長く形成された水の押送路５２（図４参照）と、上記押送路５２と連結して側壁に設けられた多数の噴射孔５４（図４参照）とを有する。上記押送路５２の下部は、上記貯水槽３０の水に浸る。この際、上記押送路５２の下部には、複数のリブ５１が形成される。上記回転噴射体５０は、モータ６０（図２及び図４参照）によって回転するが、上記回転及びそれによる遠心力によって、上記貯水槽３０の水が上記押送路５２から上方に押送され、押送された水は、遠心力によって噴射孔５４から外部に噴射される。上記複数のリブ５１は、上記押送路５２の下端から一定の高さだけ傾斜して突設される。また、上記複数のリブ５１は、上記回転噴射体５０の回転時、水を押送路の下端から押送路の上側に案内する形状を有し、上記押送路５２から水を引き上げやすくする。また、上記押送路５２は、貯水槽３０の水に浸った下部から上側へ向かって大内径となる構造である。
【００３０】
また、上記回転噴射体５０は、上記噴射孔５４に隣接しており、側壁から放射状に突出した複数のディスク部５６を一体的に有している。隣接したディスク間には、少なくとも一つ以上の噴射孔５４が形成される。上記複数のディスク部５６は、噴射された水をさらに広範囲に広げて落下させる。また、上記回転噴射体５０は、下部から上部へ向かうほど大径となる拡張型構造を有し、これにより、上記複数のディスク部５６は、下側よりも上側のものが大径となる。
【００３１】
本実施形態において、上記回転噴射体５０と回転ファン４０は、一つの同一のモータ６０によって同心回転して連結されている。これにより、一つのモータ６０を駆動させる作動のみでも、回転ファン４０と回転噴射体５０が同時に回転し、調理室１０（図２参照）と換気室２０との間の空気循環、及び換気室２０内での匂い及び煙の除去が一緒に行われる。この際、上記回転ファン４０は、上記回転噴射体５０の上方に位置し、換気室２０の吸気通路Ｉと排気通路Ｏとの間に位置する。図示したものとは異なり、回転ファン４０と回転噴射体５０のそれぞれは、対応する異なるモータによって回転されてもよい。
【００３２】
一方、上記換気室２０は、上記回転ファン４０と上記回転噴射体５０を取り囲む内筒２１の内部に画定され、上記内筒２１の外部には、上記内筒２１と連結された隔壁２３（図２、図３、及び図５参照）によって、吸気室２２１と排気室２２２を画定する外筒２２が形成される。
【００３３】
図２、図３、図４、及び図５Ａに示すように、換気室の吸気通路Ｉは、上記吸気室２２１及びそれに連結された上記外筒２２の外部入口２２ａと上記内筒２１の内部入口２１ａによって画定される。また、図２、図３、図４、及び図５Ｂに示すように、上記換気室の上記排気通路Ｏは、上記排気室２２２及びそれに連結された上記外筒２２の外部出口２２ｂと上記内筒２１の内部出口２１ｂによって画定される。この際、内部入口２１ａは、内筒２１の下端の切欠きによって形成され、上記内部出口２１ｂは、内筒２１の上端の切欠きによって形成される。
【００３４】
図３、図４、及び図５には、換気室内の空気の移動経路が矢印で示されている。これを参照すると、モータ６０の駆動によって回転ファン４０が回転するとき、調理室１０（図２参照）の汚染した空気が、吸気通路Ｉから換気室２０に流入する。この際、回転ファン４０と一緒に回転噴射体５０が回転し、これにより、回転噴射体５０は、貯水槽３０の水を引き上げ、換気室２０の汚染した空気に水を噴射する。噴射された水は、空気中の匂いと煙を吸収した後、貯水槽３０に落下する。
【００３５】
換気室２０において、空気は、上記回転ファン４０の連続的回転によって、その換気室の排気通路Ｏから調理室１０に流出する。空気から除去された匂い及び煙の成分は、水に溶解されまたは沈むことにより、換気室２０の下部に隣接した貯水槽３０に集まる。上記貯水槽３０は、着脱可能に上記換気室２０の下部に結合され、これにより、上記貯水槽３０を上記換気室２０の下部から分離して水を交替することが可能である。この際、貯水槽３０の着脱方式は、様々に変更可能である。
【００３６】
上記加熱調理器１は、調理室１０で熱くなった空気が換気室２０を経た後、大きな熱損失無しに、上記調理室１０にさらに入ることが有利である。しかし、上記貯水槽３０内の水温が上昇し過ぎると、加熱調理器の特性または性能が好ましくなく変化することもある。これを防ぐために、貯水槽３０内の水温を一定の温度以下に維持させるための冷却装置（図示せず）を、上記貯水槽３０内に設置してもよい。上記冷却装置は、熱電素子または冷却物質が流れる管であってもよい。上記冷却装置は、貯水槽内の水温が上昇し過ぎることにより、加熱調理器の性能または特性が好ましくなく変化することを防止する。
【００３７】
図６は、本発明の一実施形態による加熱調理器の制御ロジックを説明するためのブロック構成図である。図６を参照すると、加熱調理器１は、入力部２と制御部４を備える。上記入力部２は、加熱調理と換気を一緒に連動させる入力を提供するための調理・換気連動可能なスイッチ２’を有する。図示してはいないが、上記入力部２には、上記スイッチ２’以外に加熱調理器の他の動作のためのスイッチがさらに設けられてもよい。また、上記制御部４は、タイマー５と信号的に連結され、そのタイマー５から得た時間情報を用いて、換気のための回転ファン４０の動作及び停止タイミングを決定することができる。
【００３８】
例えば、入力部２内のスイッチ２’によるユーザの入力があった場合、上記制御部４は、予め定められた数分の初期加熱時間の間、調理室内のヒータ１４のみを稼動させ、調理室内の温度を上昇させる。上記制御部４は、上記タイマー５の情報を受け、上記初期加熱時間が経過すると、上記ヒータ１４が稼動されている状態で、モータ６０を駆動させ、回転ファン４０及び回転噴射体５０をさらに稼動する。これにより、調理中に発生した匂い、煙が除去される。ヒータ１４の稼動が停止した場合も、上記制御部４は、タイマー５の時間情報を受け、予め定められた数分の間モータ６０をさらに駆動し、これにより、回転ファン４０及び回転噴射体５０が稼動し、調理後に残存する匂い、煙を除去することができる。
【００３９】
図７は、本発明の他の実施形態による加熱調理器の制御ロジックを説明するためのブロック構成図である。図７を参照すると、この実施形態も、上述した実施形態の制御構成とほぼ類似している。但し、上記制御部４が、上述した実施形態のタイマーの代わりに温度センサ５’を用いることが異なる。上記制御部４は、温度センサ５’と信号的に連結され、その温度センサ５’から得た温度情報を用いて、換気のための回転ファン４０の動作及び停止タイミングを決定することができる。
【００４０】
例えば、入力部２内の連動スイッチ２’によるユーザの入力があった場合、上記制御部４は、調理室内のヒータ１４のみを稼動させ、調理室内の温度を上昇させる。上記制御部４は、例えば、温度センサ５’の温度情報を受け、調理室内の温度が予め定められた温度値を超過すると、ヒータ１４の稼動状態で、モータ６０を駆動させ、回転ファン４０及び回転噴射体５０を稼動する。これにより、調理中に発生した匂い、煙が除去される。ヒータ１４の稼動が停止した場合、上記制御部４は、調理室内の温度が予め定められた温度未満に下がるまで、上記回転ファン４０及び回転噴射体５０をさらに稼動させ、残存する匂い、煙をさらに除去することができる。その代案としては、本実施形態の温度センサと一緒に、上述したタイマーを採用してもよい。この場合、タイマーの時間情報と温度センサの調理室内の温度情報を全て用いることができるが、例えば、ヒータ１４が初期調理室内の温度上昇のために単独で稼動された後、回転ファン４０と回転噴射体５０が稼動されるタイミングは、温度センサから受けた温度情報を用いて決定する。しかし、ヒータ１４の稼動停止後、回転ファン４０と回転噴射体５０が稼動される時間は、タイマーによって決定することができる。
【００４１】
図８は、本発明のまた他の実施形態による加熱調理器の制御ロジックを説明するためのブロック構成図である。図８を参照すると、加熱調理器１は、入力部２と制御部４を備える。上記入力部２は、調理室内の加熱手段であるヒータ１４のオン／オフの命令信号を入力するための第１のスイッチ２ａと、換気室の回転ファン４０と回転噴射体５０を同時に回転させるモータ６０の駆動のための第２のスイッチ２ｂとを有する。
【００４２】
上記制御部４は、上記第１のスイッチ２ａからの信号を受け、ヒータ１４を駆動させ、調理室内の被調理物を加熱する。また、上記制御部４は、第２のスイッチ２ｂからの信号を受け、モータ６０を駆動させ、そのモータ６０の駆動によって、回転ファン４０と回転噴射体５０が同時に回転する。回転ファン４０によって、調理室と換気室との間の空気循環が行われ、回転噴射体５０は、貯水槽３０の水を引き上げ、換気室に入った空気に水を噴射する。本実施形態において、上述した実施形態と異なる点は、加熱調理のためのヒータの稼動と、換気のための回転ファン及び／または回転噴射体の稼動のためのスイッチを個別に設けるということである。
【００４３】
図９は、換気室内に配置される本発明の実施形態による水分除去フィルタを示す図である。図９を参照すると、空気中から水分を分離除去する水分除去フィルタ９０が上記換気室２０の排気通路Ｏを閉鎖するように配置される。より具体的に、上記水分除去フィルタ９０のフレーム部９２が上記貯水槽３０の内壁に着脱可能に結合されたまま、その貯水槽３０の内壁で支持され、水分除去フィルタ９０のフィルタリング部９４は、上記フレーム部９２に連結されたまま、上記排気通路Ｏを閉鎖するように配置される。
【００４４】
これにより、上記水分除去フィルタ９０が装着された貯水槽３０を換気室２０の下部、より具体的には、外筒２２の下部に装着することにより、上記水分除去フィルタ９０のフィルタリング部９４が上記排気通路Ｏ、特に、外筒の外部出口２２ｂを閉鎖する。この際、フィルタリング部９４は、例えば、ポリプロピレン、ポリ塩化ビニル、ポリエチレン、またはそれに類似した疎水性材料で形成された微細多孔を有する樹脂フィルタであり、または微細多孔が形成された金網であってもよい。上記水分除去フィルタ９０は、空気の通過を許容するが、その空気中の水分は遮断する。遮断された水分は、水滴となり、貯水槽３０に流れる。その代案としては、上記水分除去フィルタ９０は、網目状構造以外に、水蒸気を水滴にする他の形状に変更されてもよい。その代案としては、ゼオライトのような脱湿性物質が含まれた水分除去フィルタも考慮され得る。
【００４５】
上述した水分除去フィルタ９０の着脱構造は、水分除去フィルタ９０を選択的に使用可能にする。例えば、調理室内の水分を多く要する調理の場合、水分除去フィルタ９０を除去し、調理室内の水分をあまり要しない調理の場合、上記水分除去フィルタ９０を装着する。
【符号の説明】
【００４６】
２０    換気室
２１    内筒
２１ａ  内部入口
２１ｂ  内部出口
２２    外筒
２２ａ  外部入口
２２ｂ  外部出口
２３    隔壁
３０    貯水槽
４０    回転ファン
５０    回転噴射体
５６    ディスク部
６０    モータ
２２１  吸気室
２２２  排気室
Ｉ      吸気通路
Ｏ      排気通路
【図１】
2011509164.tif 000003
【図２】
2011509164.tif 000004
【図３】
2011509164.tif 000005
【図４】
2011509164.tif 000006
【図５（ａ）】
2011509164.tif 000007
【図５（ｂ）】
2011509164.tif 000008
【図６】
2011509164.tif 000009
【図７】
2011509164.tif 000010
【図８】
2011509164.tif 000011
【図９】
2011509164.tif 000012
【図１０】
2011509164.tif 000013
【国際調査報告】
2011509164.tif 000014
2011509164.tif 000015